(57)【要約】【課題】加温販売された容器入りの飲料を口内火傷を引き起こすことなく飲むことを可能とするオーバーキャップ及び該オーバーキャップを用いた包装体を提供する。【解決手段】オーバーキャップは、オーバーキャップ本体と、オーバーキャップ本体の内側に設けられた蓋材開封用突き刺し具とからなる。蓋材開封用突き刺し具は、オーバーキャップ本体周壁の内側に連設された一対の支持板と、該支持板にヒンジを介して連設された押板と、該押板の周縁に連設された蓋材開封用の突き刺し刃とからなり、突き刺し刃は薄肉のつなぎを介してオーバーキャップ本体周壁に連結している。オーバーキャップ本体周壁で囲まれた領域の上方は開口しており、オーバーキャップ本体周壁の上端は飲み口縁部を構成する。このオーバーキャップを蓋材で密封された容器に冠着し、加温販売される飲料用の包装体を構成する。【選択図】  図２
2004314997.tif 000002
【特許請求の範囲】
【請求項１】
オーバーキャップ本体と、該オーバーキャップ本体の内側に設けられた蓋材開封用突き刺し具とからなり、該蓋材開封用突き刺し具は、オーバーキャップ本体周壁の内側に連設された一対の支持板と、該支持板にヒンジを介して連設された押板と、該押板の周縁に連設された蓋材開封用の突き刺し刃とからなり、突き刺し刃は薄肉のつなぎを介してオーバーキャップ本体周壁に連結しており、オーバーキャップ本体周壁で囲まれた領域の上方は開口しており、オーバーキャップ本体周壁の上端は飲み口縁部を構成することを特徴とするオーバーキャップ。
【請求項２】
押板は支持板に対して所定角度傾斜した位置で押板を固定するための鉤部を備え、オーバーキャップ本体周壁はその内側に前記鉤部に係合する押板固定部を備えることを特徴とする請求項１に記載のオーバーキャップ。
【請求項３】
蓋材開封用突き刺し具は、中央部に押板の周縁から深く垂下する突き刺し刃を備え、その両側に押板の周縁から浅く垂下する突き刺し刃を備えることを特徴とする請求項１又は２に記載のオーバーキャップ。
【請求項４】
押板は押板回転用突起部を備えることを特徴とする請求項１乃至３の何れか一項に記載のオーバーキャップ。
【請求項５】
容器内に液体内容物が充填され、容器の口部は蓋材で密封され、蓋材で密封された容器に請求項１乃至４の何れか一項に記載のオーバーキャップが冠着されていることを特徴とする包装体。
【請求項６】
オーバーキャップの上に保護カバーが被せられていることを特徴とする請求項５に記載の包装体。
【発明の詳細な説明】
【０００１】
【発明の属する技術分野】
本発明は、飲み口を有するオーバーキャップ及び該オーバーキャップを用いた包装体に関する。
【０００２】
【従来の技術】
従来、カップ型容器本体内にコーヒー、紅茶、ウーロン茶、スープ、ジュース等を常温充填し、例えばアルミニウム箔／ポリエチレン複合フィルムからなる突き刺し可能な蓋材で容器本体の口部を密封しその上にオーバーキャップを被せ、容器本体の胴部にはストローが入った袋体を貼着してなる容器入り飲料が使用され、また、コンビニエンスストア等において販売されている。（特許文献１及び２参照）。
また、この容器入り飲料をコンビニエンスストア等に設置されたホットウォーマー内に陳列して６０℃前後に加温販売することが行われている。
【０００３】
【特許文献１】
特開２００２−２６４９４７号公報
【特許文献２】
特開平７−２８５５７９号公報
【０００４】
【発明が解決しようとする課題】
上記のような飲料を購入した消費者は、オーバーキャップにストローの通り穴を形成し、その穴を通して蓋材にストローを突き刺し、ストローを使って飲料を飲む。或いはオーバーキャップを取り除き、蓋材にストローを突き刺し、ストローを使って飲む。しかし、６０℃前後に加温されたコーヒー、紅茶、緑茶、ウーロン茶、スープ、ジュース等の飲料をストローを使って飲もうとすると、容器内の熱い飲料が途中で空気にふれて冷まされることなくストローを通して口内に吸い込まれ、場合によっては口の中を火傷することがある。
【０００５】
本発明の目的は、加温販売された容器入りの飲料を口内火傷を引き起こすことなく飲むことを可能とするオーバーキャップ及び該オーバーキャップを用いた包装体を提供することである。
【０００６】
【課題を解決するための手段】
請求項１に記載の発明は、上記のオーバーキャップに関する課題を解決するもので、オーバーキャップ本体と、該オーバーキャップ本体の内側に設けられた蓋材開封用突き刺し具とからなり、該蓋材開封用突き刺し具は、オーバーキャップ本体周壁の内側に連設された一対の支持板と、該支持板にヒンジを介して連設された押板と、該押板の周縁に連設された蓋材開封用の突き刺し刃とからなり、突き刺し刃は薄肉のつなぎを介してオーバーキャップ本体周壁に連結しており、オーバーキャップ本体周壁で囲まれた領域の上方は開口しており、オーバーキャップ本体周壁の上端は飲み口縁部を構成することを特徴とするオーバーキャップを要旨とする。
【０００７】
本発明のオーバーキャップにおいて、押板は支持板に対して所定角度傾斜した位置で押板を固定するための鉤部を備え、オーバーキャップ本体周壁の内側には前記鉤部に係合する押板固定部を備えることが望ましい。
【０００８】
本発明のオーバーキャップにおいて、押板を下方へ回転させながら蓋材を破断する関係上、蓋材開封用突き刺し具は、中央部に押板の周縁から深く垂下する突き刺し刃を備え、その両側に押板の周縁からから浅く垂下する突き刺し刃を備えることが望ましい。
【０００９】
また、押板には、押板回転用突起部を備える。この押板回転用突起部は押板を下方に回転させながら突き刺し刃を蓋体に突き刺し刃を突き刺すときの押位置を示すと共に、突き刺し刃の突き刺し後、包装内容物である液体に指がふれるのを防止するものである。その設置位置は、押板と支持板を合わせた領域の中心部に若しくは突き刺し刃により設けることが望ましい。
【００１０】
請求項５は、上記の包装体に関する課題を解決するもので、容器内に液体内容物が充填され、容器の口部は蓋材で密封され、蓋材で密封された容器に請求項１乃至３に記載のオーバーキャップが冠着されていることを特徴とする包装体を要旨とする。
【００１１】
本発明の包装体内の飲料を飲むときは、オーバーキャップ本体周壁で囲まれた領域の上方の開口部を通して露出している突起部を押してつなぎをオーバーキャップ本体周壁から分離して押板を下方へ回転させることにより、突き刺し刃を蓋材に突き刺して蓋材を破断して蓋材に開口部を形成する。そして蓋材の開口部及びオーバーキャップ本体周壁の上端で囲まれた飲み口を通してストローを使うことなく飲料を飲むことができる。そのときストローを通して吸い込むとは異なり、飲料を適度の速さで飲むことができ、また熱過ぎる飲料は空気にふれさせて飲み頃温度にさましながら飲むことができるので、口内火傷は回避される。
【００１２】
また、本発明の包装体において、突起部が押されて不用意に蓋材が開口してしまうのを防止するためにオーバーキャップの上に保護カバーを被せるのが望ましい。
【００１３】
【発明の実施の形態】
図１は本発明のオーバーキャップを示し、（Ａ）は断面図、（Ｂ）は平面図、（Ｃ）は図１（Ａ）に示すＸ−Ｘの方向に見た蓋材開放用突き刺し具の側面図である。
【００１４】
本発明のオーバーキャップは、ポリエチレン、ポリプロピレン、ナイロン等からなる、オーバーキャップ本体１と、オーバーキャップ本体１の内側に設けられた蓋材開封用突き刺し具１１とからなる。蓋材開封用突き刺し具１１は、オーバーキャップ本体周壁１ａの内側に連設された一対の支持板２、２と、支持板２、２にヒンジ３を介して連設された押板４と、押板４の周縁に連設された蓋材開封用の突き刺し刃５とからなる。突き刺し刃５は薄肉のつなぎ６を介してオーバーキャップ本体周壁１ａに連結している。また、押板４は支持板２、２に対して所定角度傾斜した位置で押板４を固定するための鉤部７を備える。一方、オーバーキャップ本体周壁１ａの内側には鉤部７に係合する押板固定部８が設けられている。また、オーバーキャップ本体周壁１ａで囲まれた領域の上方は開口し、開口部９が形成されている。オーバーキャップ本体周壁１ａの上端１０は飲み口縁部を構成している。尚、１ｂは容器のフランジに係止されるアンダーカットを示す。
【００１５】
図１（Ｃ）に示すように、蓋材開封用突き刺し具１１は、中央部に押板４の周縁から深く垂下する突き刺し刃５ａを備え、その両側に押板４の周縁から浅く垂下する突き刺し刃５ｂを備える。
【００１６】
押板４には押板４と支持板２、２を合わせた領域の中心部に押板回転用突起部４ａが設けられている。
【００１７】
図２は、図１に図示するオーバーキャップを用いてなる包装体を示す。カップ型容器２１内に液体内容物２２が充填され、カップ型容器２１の口部は蓋材２３で密封され、蓋材２３で密封されたカップ容器２１に図１に示すオーバーキャップが冠着されオーバーキャップのアンダーカット１ｂがカップ型容器２１のフランジ２１ａに係止されている。
【００１８】
図３に示すように、本発明の包装体においては、突起部４ａが押されて不用意に蓋材２３が開口してしまうのを防止するためにオーバーキャップの上に保護カバー１２を被せるのが望ましい。
【００１９】
図４は本発明の包装体の開封状態を示す。本発明の包装体内の飲料を飲むときは、図４に示すように、オーバーキャップ本体周壁１ａで囲まれた領域の上方の開口部９を通して露出している突起部４ｂを押してつなぎ６をオーバーキャップ本体周壁１ａから分離して押板４を自由な状態にし、鉤部７が押板固定部に固定される位置まで、押板４を回転させることにより、突き刺し刃５を蓋材２３に突き刺して蓋材２３を破断し、蓋材２３に開口部２４を形成する。そしてオーバーキャップ本体周壁１ａの上端１０で囲まれた飲み口を通してストローを使うことなく飲料を飲むことができる。
【００２０】
本発明において、突き刺し刃５によって蓋材の破片が形成されて飲料に混入し飲料と共に飲み込まれてしまうことのないように、蓋材２３の材料として、突き刺し刃５により破断した部分以外に亀裂の走らない材料、例えば未延伸ナイロン／ポリエチレン、ポリプロピレン、ポリエチレンテレフタレート等のポリオレフィン系フィルムの積層フィルム、未延伸ナイロン／エチレンビニルアルコール共重合体や塩化ビニリデン等のバリアー層／未延伸のポリエチレン、ポリプロピレン、ポリエチレンテレフタレート等のポリオレフィン系フィルムの積層フィルム、未延伸ナイロン／アルミニウム等の金属蒸着槽／未延伸のポリエチレン、ポリプロピレン、ポリエチレンテレフタレート等のポリオレフィン系フィルムの積層フィルム等を利用するのが望ましい。
【００２１】
本発明の包装体において、オーバーキャップと組み合わせる容器として、紙容器、プラスチック製容器、紙／合成樹脂／金属箔複合材料または紙／合成樹脂複合材料からなる容器、または金属製容器の何れも適用可能である。
【００２２】
【発明の効果】
以上詳細に説明したように、本発明のオーバーキャップは、オーバーキャップ本体と、該オーバーキャップ本体の内側に設けられた蓋材開封用突き刺し具とからなり、該蓋材開封用突き刺し具は、オーバーキャップ本体周壁の内側に連設された一対の支持板と、該支持板にヒンジを介して連設された押板と、該押板の周縁に連設された蓋材開封用の突き刺し刃とからなり、突き刺し刃は薄肉のつなぎを介してオーバーキャップ本体周壁に連結しており、オーバーキャップ本体周壁で囲まれた領域の上方は開口しており、オーバーキャップ本体周壁の上端は飲み口縁部を構成するものであるので、蓋材で口部を密封した容器に冠着し、加温販売された容器入りの飲料を口内火傷を引き起こすことなく飲むことを可能とする包装体を形成することができる。この包装体においては、オーバーキャップを外すことなく突起部を押すことによりワンタッチで蓋材を開封し、そのままオーバーキャップに形成されている飲み口を通して飲料を飲むことができる。
【図面の簡単な説明】
【図１】本発明のオーバーキャップを示し、（Ａ）は断面図、（Ｂ）は平面図、（Ｃ）は図１（Ａ）に示すＸ−Ｘの方向に見た蓋材開封用突き刺し具の側面図である。
【図２】本発明の包装体を示す断面図である。
【図３】保護カバーを有する本発明の包装体の断面図である。
【図４】本発明の包装体の開封状態を示す断面図である。
【符号の説明】
１        オーバーキャップ本体
１ａ      オーバーキャップ本体周壁
１ｂ      アンダーカット
２        支持板
３        ヒンジ
４        押板
４ａ      押板回転用突起部
５        突き刺し刃
５ａ      押板の周縁から深く垂下する突き刺し刃
５ｂ      押板の周縁から浅く垂下する突き刺し刃
６        つなぎ
７        鉤部
８        押板固定部
９        開口部
１０      オーバーキャップ本体周壁の上端
１１      蓋材開封用突き刺し具
１２      保護カバー
２１      カップ型容器
２２      液体内容物
２３      蓋材
２４      開口部
【図１】
2004314997.tif 000003
【図２】
2004314997.tif 000004
【図３】
2004314997.tif 000005
【図４】
2004314997.tif 000006